【手続補正書】
【提出日】平成30年3月9日(2018.3.9)
【手続補正１】
【補正対象書類名】特許請求の範囲
【補正対象項目名】全文
【補正方法】変更
【補正の内容】
【特許請求の範囲】
【請求項１】
遊技球が入球可能であって、開閉部材により開閉される入球口と、
前記入球口に入球した遊技球が流下する導入流路と、
前記導入流路から２股に分かれて延びた第１と第２の分岐流路と、
前記導入流路から前記第１と第２の分岐流路への分岐部位で、前記第１の分岐流路を閉塞すると共に前記第２の分岐流路を開放する第１位置と、前記第２の分岐流路を閉塞すると共に前記第１の分岐流路を開放する第２位置との間を回動して、前記導入流路を流下してきた遊技球を前記第１の分岐流路と前記第２の分岐流路の何れか一方に振り分ける振分部材と、
前記振分部材を駆動する駆動手段と、を備えた遊技機において、
前記振分部材は、前記第２位置から前記第１位置へ移動するときに、前記第１の分岐流路側が上流側へ向かうように回動して、前記第１の分岐流路を構成する第１流路壁のうち第２の分岐流路側に配された第１外側流路壁との間隔を狭めると共に前記第２の分岐流路を構成する第２流路壁のうち前記第１の分岐流路側の第２外側流路壁との間の間隔を広げる一方、前記第１位置から前記第２位置へ移動するときに、前記第２の分岐流路側が上流側へ向かうように回動して、前記第２外側流路壁との間隔を狭めると共に前記第１外側流路壁との間隔を広げるように構成され、
前記駆動手段は、前記入球口の開放中に設定された駆動タイミングで、前記第２位置から前記第１位置へと前記振分部材を移動させるように構成され、
前記第１外側流路壁には、前記振分部材の回動中心から遠ざかるように突出した球逃がし部が備えられ、
前記導入流路は、前記入球口から斜め下方に延びる傾斜流路と、前記傾斜流路の終端から垂下する垂下流路と、からなり、
前記第２の分岐流路は、前記垂下流路から前記入球口側に延びる一方、前記第１の分岐流路は、前記垂下流路から前記入球口から離れる側に延び、
前記球逃がし部は、前記垂下流路に対して前記入球口から離れる側に設けられたことを特徴とする遊技機。
【手続補正２】
【補正対象書類名】明細書
【補正対象項目名】０００６
【補正方法】変更
【補正の内容】
【０００６】
上記目的を達成するためになされた請求項１の発明は、遊技球が入球可能であって、開閉部材により開閉される入球口と、前記入球口に入球した遊技球が流下する導入流路と、前記導入流路から２股に分かれて延びた第１と第２の分岐流路と、前記導入流路から前記第１と第２の分岐流路への分岐部位で、前記第１の分岐流路を閉塞すると共に前記第２の分岐流路を開放する第１位置と、前記第２の分岐流路を閉塞すると共に前記第１の分岐流路を開放する第２位置との間を回動して、前記導入流路を流下してきた遊技球を前記第１の分岐流路と前記第２の分岐流路の何れか一方に振り分ける振分部材と、前記振分部材を駆動する駆動手段と、を備えた遊技機において、前記振分部材は、前記第２位置から前記第１位置へ移動するときに、前記第１の分岐流路側が上流側へ向かうように回動して、前記第１の分岐流路を構成する第１流路壁のうち第２の分岐流路側に配された第１外側流路壁との間隔を狭めると共に前記第２の分岐流路を構成する第２流路壁のうち前記第１の分岐流路側の第２外側流路壁との間の間隔を広げる一方、前記第１位置から前記第２位置へ移動するときに、前記第２の分岐流路側が上流側へ向かうように回動して、前記第２外側流路壁との間隔を狭めると共に前記第１外側流路壁との間隔を広げるように構成され、前記駆動手段は、前記入球口の開放中に設定された駆動タイミングで、前記第２位置から前記第１位置へと前記振分部材を移動させるように構成され、前記第１外側流路壁には、前記振分部材の回動中心から遠ざかるように突出した球逃がし部が備えられ、前記導入流路は、前記入球口から斜め下方に延びる傾斜流路と、前記傾斜流路の終端から垂下する垂下流路と、からなり、前記第２の分岐流路は、前記垂下流路から前記入球口側に延びる一方、前記第１の分岐流路は、前記垂下流路から前記入球口から離れる側に延び、前記球逃がし部は、前記垂下流路に対して前記入球口から離れる側に設けられたことを特徴とする遊技機である。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】０１０５
【補正方法】変更
【補正の内容】
【０１０５】
（６）上記実施形態では、第１大入賞部３０は大当たり遊技の実行中に開放する構成で使用されているが、第1大入賞部３０を当否判定用の当否判定用入賞装置としてもよい。具体的には、所定の入賞口への入球を起因に当否判定用入賞装置の入賞口（第１大入賞口３１）を開放するか否かを判定し、その判定結果に基づき振分部材１３０を第１位置や第２位置に移動し、入賞口（第１大入賞口３１）に入球した遊技球が第１分岐流路１２１に流下したら外れで、第２分岐流路に流下し第２検出スイッチ１２２Ｓで検出されたら第２大入賞口６１が開放する大当たり遊技が実行されるという構成のための入賞装置の構成であってもよい。
なお、上記実施形態及び他の実施形態（１）〜（６）には、以下の［１］〜［７］の構成が含まれている。
［１］
遊技球が入球可能であって、開閉部材により開閉される入球口と、前記入球口に入球した遊技球が流下する導入流路と、前記導入流路から２股に分かれて延びた第１と第２の分岐流路と、前記導入流路から前記第１と第２の分岐流路への分岐部位で、前記第１の分岐流路を閉塞すると共に前記第２の分岐流路を開放する第１位置と、前記第２の分岐流路を閉塞すると共に前記第１の分岐流路を開放する第２位置との間を回動して、前記導入流路を流下してきた遊技球を前記第１の分岐流路と前記第２の分岐流路の何れか一方に振り分ける振分部材と、前記振分部材を駆動する駆動手段と、を備えた遊技機において、前記振分部材は、前記第２位置から前記第１位置へ移動するときに、前記第１の分岐流路側が上流側へ向かうように回動して、前記第１の分岐流路を構成する第１流路壁のうち第２の分岐流路側に配された第１外側流路壁との間隔を狭めると共に前記第２の分岐流路を構成する第２流路壁のうち前記第１の分岐流路側の第２外側流路壁との間の間隔を広げる一方、前記第１位置から前記第２位置へ移動するときに、前記第２の分岐流路側が上流側へ向かうように回動して、前記第２外側流路壁との間隔を狭めると共に前記第１外側流路壁との間隔を広げるように構成され、前記駆動手段は、前記入球口の開放中に設定された駆動タイミングで、前記第２位置から前記第１位置へと前記振分部材を移動させるように構成され、前記第１外側流路壁には、前記振分部材の回動中心から遠ざかるように突出した球逃がし部が備えられたことを特徴とする遊技機である。
［１］の構成によれば、第１外側流路壁に、振り分け部材の回動中心から遠ざかるように突出した球逃がし部が備えられているので、入球口の開放中に振分部材が第２位置から第１位置へ移動したときに、導入流路から第１の分岐流路へ向かう遊技球が存在しても、振分部材と第１外側流路壁との間に遊技球が挟まれることが抑制される。これにより、振分部材による球詰まりを抑制することが可能となる。
［２］
前記球逃がし部は、前記分岐部位の下流側へ向かうに従って前記振分部材の回動領域との間隔を広げる円弧形状に形成されたことを特徴とする構成１に記載の遊技機である。
［２］の構成によれば、振分部材が第１位置へ移動するときに、第１の分岐流路へと向かう遊技球をスムーズに流下させることが可能となる。
［３］
前記球逃がし部は、前記第１位置へ移動する途中の前記振分部材との間に遊技球１個分以上の間隔を形成することを特徴とする構成１又は２に記載の遊技機である。
［３］の構成によれば、第１の分岐流路側へ向かう遊技球との球詰まりをより抑制することが可能となる。
［４］
前記第１と第２の分岐流路及び前記導入流路に亘って連続する平坦な共通流下面に受容孔が形成されると共に、前記振分部材には、前記受容孔に受容されかつ前記共通流下面と略面一の端面を有する回動ベースと、前記回動ベースの前記端面のうち前記振分部材の回動中心から離れた位置から突出し且つ前記回動中心側を向いた面を球受け面として有する振分突片と、が備えられたことを特徴とする構成１乃至３のうち何れか１の構成に記載の遊技機である。
［４］の構成によれば、回動ベースで遊技球の流下を妨げることなく、振分突片を支持することが可能となる。
［５］
前記駆動手段は、前記入球口が閉塞している間に、前記振分部材を前記第１位置から前記第２位置へ移動させることを特徴とする構成１乃至４のうち何れか１の構成に記載の遊技機である。
［５］の構成によれば、振分部材が第１位置から第２位置へ移動するときに、導入流路から第２の分岐流路へ向かう遊技球をなくすことが可能となる。従って、第１外側流路壁にのみ球逃がし部を備えるだけで、振分部材による球詰まりを抑制することが可能となる。
［６］
前記入球口の開放には、ショート開放と、開放時間がショート開放よりも長いロング開放と、が設けられ、前記駆動手段は、前記入球口が開放される前には、前記振分部材を前記第２位置に配置し、前記入球口が開放されたときには、その入球口の開放が前記ショート開放であるか前記ロング開放であるかに拘わらず、前記振分部材を、前記ショート開放の開放時間が経過するまでに前記第１位置へと移動させ、前記ショート開放の開放時間が経過した後に、一旦、前記第２位置へと戻し、前記ロング開放の開放時間が経過するまでに、再び、前記第１位置へと移動させ、前記ロング開放の開放時間の経過した後に、前記第２位置へと戻すことを特徴とする構成１乃至５のうち何れか１の構成に記載の遊技機である。
［６］の構成によれば、入球口の開放パターンとして、開放時間が異なるショート開放とロング開放とが設けられているので、遊技の趣向性の向上を図ることが可能となる。しかも、本構成によれば、ショート開放であるかロング開放であるかに拘わらず、振分部材の動作が同じになるので、駆動手段による振分部材の制御の統一化が図られる。
［７］
前記導入流路は、前記入球口の側方に配置されると共に、前記第２の分岐流路は、前記導入流路に対して前記入球口側に配置される一方、前記第１の分岐流路は、前記導入流路に対して前記入球口から離れる側に配置され、前記球逃がし部は、前記導入流路に対して前記入球口から離れる側に設けられたことを特徴とする構成１乃至６のうち何れか１の構成に記載の遊技機である。
［７］の構成によれば、球逃がし部が、入球口の周辺に設置される役物や装置と干渉することを抑制可能となる。